(57)【特許請求の範囲】
【請求項１】
入力信号を受信する入力端子と、
前記入力信号から第１のＴＶ信号を取り出す同調器と、
前記入力信号から取り出される少なくとも複数の第２のＴＶ信号ブロックを、メモリに記憶したり／メモリから読み取ったりするデバイスとを具え、
前記第２のＴＶ信号ブロックは、前記第１のＴＶ信号の部分を構成せず、
前記第１のＴＶ信号は、コマーシャルまたは他の情報のための中断部分を有し、前記中断部分の間に、前記第２のＴＶ信号ブロックを挿入でき、
前記中断部分には、前記第１のＴＶ信号の前記中断部分に挿入するために、少なくとも１つの第２のＴＶ信号ブロックを前記メモリから読み取って複合ＴＶ信号を得るように、前記メモリを制御する第１の制御信号が設けられ、
さらに前記複合ＴＶ信号を供給する出力端子を具え、
第２のＴＶ信号ブロックのためのテーマの優先的形態を与える入力手段を設けられることを特徴とするＴＶ信号受信機。
【請求項２】
請求項１に記載のＴＶ信号受信機において、第１の制御信号に応じて第１のＴＶ信号と少なくとも１つの第２のＴＶ信号ブロックとを組み合わせて、前記複合ＴＶ信号を得る信号組み合わせユニットを具えることを特徴とするＴＶ信号受信機。
【請求項３】
請求項１または２に記載のＴＶ信号受信機において、第１のＴＶ信号から第１の制御信号を取り出す検出手段を備えることを特徴とするＴＶ信号受信機。
【請求項４】
請求項１，２または３に記載のＴＶ信号受信機において、前記メモリに記憶された少なくとも１つの第２の信号ブロックが、第１の制御信号に依存して第１のＴＶ信号の中断部分に挿入される第１のモードと、前記入力端子に供給された第２のＴＶ信号ブロックが、前記入力信号から取得された第２の制御信号に依存して前記メモリに記憶される第２のモードとの間で切り替え可能であることを特徴とするＴＶ信号受信機。
【請求項５】
請求項４に記載のＴＶ信号受信機において、前記入力信号から第２の制御信号を取り出す検出手段を備えることを特徴とするＴＶ信号受信機。
【請求項６】
請求項１，２，３，４または５に記載のＴＶ信号受信機において、前記入力手段によって与えられた優先的形態に依存して前記メモリに記憶される第２のＴＶ信号ブロックを選択する選択器を具えることを特徴とするＴＶ信号受信機。
【請求項７】
請求項１，２，３，４または５に記載のＴＶ信号受信機において、第２のＴＶ信号ブロックが、放送局またはサービスプロバイダにより規定されるテーマの優先的形態を有することを特徴とするＴＶ信号受信機。
【請求項８】
請求項１に記載のＴＶ信号受信機において、前記優先的形態を放送局またはサービスプロバイダに供給する出力端子を具えることを特徴とするＴＶ信号受信機。
【請求項９】
請求項１に記載のＴＶ信号受信機において、前記メモリに加えられる情報がテーマの優先的形態であることを特徴とするＴＶ信号受信機。
【請求項１０】
請求項１に記載のＴＶ信号受信機において、特定の優先的形態を有する第２のＴＶ信号ブロックが、２つ以上の中断部分に挿入可能であることを特徴とするＴＶ信号受信機。
【請求項１１】
請求項１〜１０のいずれかに記載のＴＶ信号受信機において、前記メモリが磁気記録担体であることを特徴とするＴＶ信号受信機。
【請求項１２】
請求項１１に記載のＴＶ信号受信機において、前記磁気記録担体がハードディスクであることを特徴とするＴＶ信号受信機。
【請求項１３】
請求項１１記載のＴＶ信号受信機において、前記磁気記録担体が細長状磁気記録媒体であることを特徴とするＴＶ信号受信機。
【請求項１４】
請求項１〜１０のいずれかに記載のＴＶ信号受信機において、前記メモリが固体メモリであることを特徴とするＴＶ信号受信機。
【発明の詳細な説明】
この発明はＴＶ（ｔｅｌｅｖｉｓｉｏｎ）信号受信機に関するものである。一般に、ある長さのＴＶ番組は、例えばコマーシャルや他の情報により定期的に中断される。このようなメッセージは何人に送られる標準パケット内に一般に集中されている。多くの視聴者は、このようなパケットの少なくとも一部を不用なものと見做す。というのは視聴者は、コマーシャルの代わりに例えば株取引ニュースとか天気予報のような他の対象についての情報を好んだり、あるいは例えば視聴者は特に興味を持つ品物についてのコマーシャルを好んだりするからである。
本発明の目的は、ＴＶ信号受信機を提供することにある。このＴＶ信号受信機によって、第１のＴＶ信号例えば映画の一部を形成せず、ＴＶ信号受信機の出力端子で得られる情報信号と呼ばれる第２のＴＶ信号ブロックの内容に適応可能である。
この目的のため、本発明に係るＴＶ信号受信機は、入力信号を受信する入力端子と、入力信号から第１のＴＶ信号を取り出す同調器と、入力信号から取り出される少なくとも複数の第２のＴＶ信号ブロックをメモリに記憶したり／から読み取ったりするデバイスとを有し、第１のＴＶ信号は第２のＴＶ信号ブロックが挿入可能な中断部分を有し、その中断部分は、複合ＴＶ信号を得るように第１のＴＶ信号の中断部分に挿入するために、少なくとも１つの第２のＴＶ信号ブロックがメモリから読み取られるように、そのメモリを制御する第１の制御信号を有するとともに、さらに前記受信機が、複合ＴＶ信号を供給する出力端子を有する。
このようにして、主信号と呼ばれる第１のＴＶ信号の部分を形成しない複数の第２のＴＶ信号ブロックは、信号受信機を介して主信号に選択的に加えられる。これら第２のＴＶ信号ブロックは、受信機のメモリに記憶される。このメモリから、ＴＶ信号ブロックは、主信号の中断部分がある時再び読み取られる。このことは、中断部分の位置についての情報を有する第１の制御信号に応じて行われる。例えば複数の第１の制御信号は、入力信号の中断部分に先行できる。第１の制御信号は、例えば中断部分の始めにまた存在することができる。第２のＴＶ信号ブロックは、第２の制御信号とリンクしている。第２の制御信号は、第２のＴＶ信号ブロックが到着するときに記憶できるようメモリを活性化しなければならない。第１および第２の制御信号は、検出手段により検出される。検出手段は、例えば１つ以上の検出器を具えたり、または制御システムユニットからなることができる。
ＴＶ信号受信機は、２つのモード間で切り替え可能である。第１のモードでは、第２のＴＶ信号ブロックがメモリから読み取られて中断部分に挿入される。第２のモードでは、入力端子に受信された複数の第２のＴＶ信号ブロックが、メモリに記憶される。このメモリでは、第２のＴＶ信号ブロックの集合が作成される。両者の場合、第２のＴＶ信号ブロックが適切な瞬時に挿入されまたは記憶されることを保証する制御信号が利用される。
さらに、ＴＶ信号受信機は、所望の内容の第２のＴＶ信号ブロックの形態（ｐｒｏｆｉｌｅ）が選択され得る入力手段を具えることもできる。このような選択は、第２のＴＶ信号ブロックが受信機に送られる前に実施できる。その場合、信号受信機の出力端子から供給された信号は、関連情報を備えて放送局またはサービス提供者（以下、サービスプロバイダという）に送られる。放送局またはサービスプロバイダ所望の第２のＴＶ信号ブロックのみを引き続き送り、制御信号に基づいて、第２のＴＶ信号ブロックがメモリに記憶され得るようＴＶ信号受信機を第２のモードに切り替える。
ユーザが入力手段によって選択する代わりに、放送局またはサービスプロバイダが第２のＴＶ信号ブロックの内容自体をモニタすることができる。このためには、放送局またはサービスプロバイダは、ユーザの立場に基づいて優先的形態（ｐｒｅｆｅｒｅｎｔｉａｌ  ｐｒｏｆｉｌｅ）を決定することができる。ユーザの年齢や、ある周期期間中の彼の購買態度のような要素は、重要な役割をするだろう。
もし関連情報が記憶されて、残りさらにこの情報が放送局またはサービスプロバイダに送られない場合には、放送局またはサービスプロバイダは、第２のＴＶ信号の全パケットを前記デバイスに送り、それらをメモリに記憶することができる。この場合、所望の内容を有する第２のＴＶ信号ブロックのみがメモリから選択器により再生され前記中断部分に挿入されるよう、選択がメモリに知らされる。
選択は、情報パケットがメモリに記憶される前になされる。その時、メモリは内容が優先的形態に適合する情報のみを有する。このようにして、より小さなメモリにて十分となる。
さらに、同じ第２のＴＶ信号ブロックをしばしば挿入可能にすることが提案され、それでユーザは１回より多く同じメッセージを見る機会が得られる。本発明のこれらおよび他の態様は、以下に記載する実施例を参照して明らかにされる。
図１（ａ）は、放送局またはサービスプロバイダ３およびＴＶ信号受信機５を具えたシステム１を略図的に示す。実際は、２つ以上のＴＶ信号受信機が放送局またはサービスプロバイダ３に接続される。ＴＶ信号受信機５は、入力端子７と出力端子９を有している。放送局またはサービスプロバイダ３により送信されたＴＶ信号は、ＴＶ信号受信機５の入力端子７で受信される。これは、さらに入力信号と呼ばれる。入力信号は、２つの異なった種類の信号に分離される。第１の種類は、第１のＴＶ信号、言い換えれば、主番組に関係する。第１のＴＶ信号は、中断部分を有する。第２の種類は、コマーシャル、株式取引ニュース、天気予報、またはある対象についてのコマーシャルなどのような情報を有する第２のＴＶ信号に関係する。しかしながら、このような情報の内容は、例えばある対象についての情報のみを受信したいと欲するユーザには、あまりにもかけはなれていると考えられる。この点についての解決方法を提供するのが本発明の目的である。
入力端子７に受信された入力信号は、同調器１１に供給され、１つの第１のＴＶ信号が、与えられた複数の第１のＴＶ信号から選択される。検出手段は、２つの検出器１３，１５を具えている。複数の第１のＴＶ信号の各々は、第１の制御信号を有し、この第１の制御信号によって中断部分の位置が示される。この制御信号は、同調器１１の後段に配置されている第１の検出器１３により分析される。
入力信号はまた、１つ以上の第２のＴＶ信号ブロックを具えている。第２のＴＶ信号ブロックは、第２の検出器１５により検出される第２の制御信号とリンクされている。検出器１５がこのような制御信号を検出すると、検出器１５は、第２のＴＶ信号ブロックがメモリ１７に記憶されるように、メモリ１７を活性化する。
第１の検出器１３が、同調器１１により選択された第１のＴＶ信号の中断部分を知らせると、検出器１３は続いてメモリ１７を活性化する。メモリ１７は、信号組み合わせユニット１９に１つ以上の記憶された第２のＴＶ信号ブロックを送る。信号組み合わせユニットは、同調器１１により選択された第１のＴＶ信号をまた受信する。第１の検出器１３は、第１の制御信号に基づいてメモリのみならず信号組み合わせユニット１９も活性化する。第１の制御信号に応じて、第２のＴＶ信号ブロックは、信号組み合わせユニットにおいて適切な瞬時に第１のＴＶ信号の中断部分に挿入され、複合ＴＶ信号が得られる。複合ＴＶ信号は、引き続いて受信機の出力端子９に供給される。
図１（ｂ）は、本発明に係るＴＶ信号受信機の他の実施例を示す。同調器１１と第１および第２の検出器１３，１５は、第１および第２の同調器１２，１４と、検出手段を構成するシステム制御ユニット１６とにより置換される。入力端子７で受信された入力信号は、第１の同調器１２に供給され、１つの第１のＴＶ信号が、与えられた複数の第１のＴＶ信号から選択される。入力信号は、また第２の同調器１４に供給され、複数の第２のＴＶ信号ブロックが入力信号から選択される。第２の同調器１４は、システム制御でき、メモリに送る前に到来メッセージをデコードする。第１のＴＶ信号の中断部分を示す第１の制御信号および第２のＴＶ信号ブロックとリンクする第２の制御信号は、制御システムユニット１６により検出される。制御システムユニット１６は、第２の制御信号に応じてメモリを活性化し、第２のＴＶ信号ブロックは到達時に記憶される。第１のＴＶ信号の中断部分を示す第１の制御信号に応じて、メモリはシステム制御ユニットにより活性化されて、第２のＴＶ信号ブロックがメモリから信号組み合わせユニット１９へ送られ、中断部分に挿入される。そのためには、システム制御ユニット１６はまた、信号組み合わせユニット１９を活性化する。
したがって、受信機は２つのモード間で切り替え可能である。第１のモードでは、１つ以上の第２のＴＶ信号ブロックはメモリから読み取られ、第１のＴＶ信号の中断部分に挿入される。これは、第１の制御信号に基づいて行われる。第１の制御信号には、中断部分が設けられ、第１の制御信号によって、メモリが活性化されて、記憶された第２のＴＶ信号ブロックを解放する。第２のモードでは、第２の制御信号に基づいて、１つ以上の第２のＴＶブロックがメモリに記憶されて、中断部分の間の後の階段で第１のＴＶ信号に挿入できる。
第２のＴＶ信号ブロックは、いつでもＴＶ信号受信機に送ることができる。というのは、第２のＴＶ信号ブロックは、メモリに記憶でき、中断部分が存在するときに、後の段階で再生できるからである。
ＴＶ信号受信機５には、情報が望まれる複数のテーマや対象の優先的形態を与える入力手段２３が好適には設けられる。しかし、この優先的形態は、異なる方法で与えることができる。
図２は、優先的形態を与える第１の可能性が示される実施例を示している。優先的形態は、ＴＶ信号受信機５の出力端子２１から供給される。さらに、フィードバック手段２５が設けられ、出力端子２１から供給される信号を放送局またはサービスプロバイダに送って、放送局またはサービスプロバイダが第２のＴＶ信号ブロックのパケットを所望の形態でＴＶ信号受信機５に送ることができることを保証する。
図３は、優先的形態を与える第２の可能性が示される実施例を示している。メモリ１７は、例えば、放送局またはサービスプロバイダ３により送信された第２のＴＶ信号ブロックの全情報パケットを有することができ、所望の形態が入力手段２３によってメモリ１７の方へ送られる。このためには、入力手段２３はメモリ１７へ選択器２７を介して接続される。メモリ１７が、中断部分が設けられる第１の制御信号に基づいて第１の検出器１３により活性化されると、選択器２７によって選択された第２のＴＶ信号のみが優先的形態に依存して、メモリ１７により解放され、第１のＴＶ信号の中断部分に挿入される。
メモリ１７はまた、内容がユーザの優先的形態に対応するそれら情報パケットのみを含むことができる。メモリに加えられた情報は、優先的形態からなる。第２のＴＶ信号ブロックに含まれるすべての付加情報は記憶されない。この場合、優先的形態は情報パケットがメモリに加えられる前に入力されなければならない。優先的形態の指示は、メモリに記憶されるべき情報に対してフィルタとして作用する。従って、より少ないメモリで十分となる。
ユーザが入力手段２３により選択する代わりに、放送局またはサービスプロバイダ３は第２のＴＶ信号ブロックの内容を自身でモニタすることができる。このためには、放送局またはサービスプロバイダ３はユーザの立場に立った優先的形態を決定することができる。ユーザの年齢や、ある周期期間中の彼の購買態度のような要素は重要な役割をはたす。
図２および図３では、入力手段２３は例えばキーボードで構成できる。
図２および図３で、同調器１１と検出器１３，１５は、図１（ｂ）と同様に、第１および第２の同調器１２，１４とシステム制御ユニット１６により置換できる。
メモリ１７は、異なった方法で実現される。メモリは、例えば固体メモリのみならず磁気記録担体とすることができる。磁気記録担体の例は、ハードディスクまたは細長状磁気記録媒体である。細長状磁気記録媒体の例は、この出願人による未公開のヨーロッパ特許出願第９６２０２０７４．９号明細書に記載されており、その内容は本明細書の内容として引用される。図４は、前記出願に記載された記録媒体の実施例を示している。前述のヨーロッパ特許出願明細書には、ユーザがメニューを使用して特に欲する情報に関してユーザの希望をどのように述べるかを既に記載している。対象には優先権が与えられ、後の段階で中断部分に挿入されるべき第２のＴＶ信号ブロックについての順番を与える。ＴＶ信号受信機が第２のモードに切り替えられると、第２の信号ブロックは例えば記録担体のトラックＴ5とＴ6の部分Ｐ5とＰ6に記録できる。必要ならば、より多くの第２のＴＶ信号ブロックを、勿論、複数トラックの部分Ｐ5とＰ6に記録することもできる。記録担体上の第２のＴＶ信号ブロックの位置についての位置情報は、ディレクトリに記憶される。ディレクトリは、トラックＴ1とＴ2の部分Ｐ5に記録され、受信された第１のＴＶ信号の中断部分が満たされるならば、第２のＴＶ信号ブロックが再生される。
第２のＴＶ信号ブロックの内容は、ユーザの個人的選択に同調されるから、ユーザが２回以上同じメッセージを見たいと思う良いチャンスが存在する。それゆえに、第２のＴＶ信号ブロックはしばしば挿入可能である。
【図面の簡単な説明】
図１（ａ）および図１（ｂ）は、放送局またはサービスプロバイダおよび本発明に係る少なくとも１つのＴＶ信号受信機を具えたシステムの第１および第２の実施例を示す。
図２は、放送局またはサービスプロバイダおよび本発明に係る少なくとも１つのＴＶ信号受信機を具えたシステムの第３の実施例を示し、この例では所望の第２のＴＶ信号ブロックの形態は放送局またはサービスプロバイダに知らされる。
図３は、放送局またはサービスプロバイダおよび本発明に係る少なくとも１つのＴＶ信号受信機を備えたシステムの第４の実施例を示し、この例では第２のＴＶ信号ブロックの優先的形態が受信機のメモリに提示される。
図４は、記録媒体の実施例を示す図である。
【図１ａ】
0004334020.tif 000002
【図１ｂ】
0004334020.tif 000003
【図２】
0004334020.tif 000004
【図３】
0004334020.tif 000005
【図４】
0004334020.tif 000006